(57)【特許請求の範囲】
【請求項１】
複数のサブ画素を備える画素構造において、
前記サブ画素は、赤サブ画素、緑サブ画素及び青サブ画素を備え、
前記赤サブ画素と前記緑サブ画素が全て二等辺三角形の形状であり、同じ面積であり、
各前記青サブ画素は菱形の形状であり、面積が前記赤サブ画素の２倍の面積であり、
前記赤又は緑サブ画素の二等辺三角形の形状の各辺の長さが、前記青サブ画素の菱形の形状の辺長と等しく、
前記青サブ画素は水平及び垂直に配置され、
前記赤サブ画素及び前記緑サブ画素は、水平に１つずつ交互に配置され、前記青サブ画素の１つは、水平に隣接するいずれか２つの赤サブ画素及び緑サブ画素の間に介在され、または
前記赤サブ画素及び前記緑サブ画素は、垂直に１つずつ交互に配置され、前記青サブ画素の１つは、垂直に隣接するいずれか２つの赤サブ画素及び緑サブ画素の間に介在されることを特徴とする、画素構造。
【請求項２】
二つの前記赤サブ画素と二つの前記緑サブ画素が、それぞれ前記青サブ画素の菱形形状の４辺に寄り添うように配置される
ことを特徴とする、請求項１に記載の画素構造。
【請求項３】
前記画素構造は、三角形の形状、矢印の形状、平行四辺形の形状又は長方形の形状の複数の論理画素を備える
ことを特徴とする、請求項２に記載の画素構造。
【請求項４】
各前記論理画素は、半分の赤サブ画素と、半分の緑サブ画素と、半分の青サブ画素によって形成される長方形の形状であり、前記半分の赤サブ画素の１辺と前記緑サブ画素の１辺が前記半分の青サブ画素の隣辺に寄り添うように配置されて長方形の形状を形成する
ことを特徴とする、請求項３に記載の画素構造。
【請求項５】
各前記論理画素は、前記赤サブ画素の１辺と前記緑サブ画素の１辺が前記青サブ画素の隣辺に寄り添うように配置される三角形の形状であり、前記赤サブ画素の１つの底角は前記緑サブ画素の１つの底角と繋がる
ことを特徴とする、請求項３に記載の画素構造。
【請求項６】
各前記論理画素は、前記赤サブ画素の１辺と前記緑サブ画素の１辺が前記青サブ画素の隣辺に寄り添うように配置される矢印の形状であり、前記赤サブ画素と前記緑サブ画素の頂角が互いに繋がる
ことを特徴とする、請求項３に記載の画素構造。
【請求項７】
各前記論理画素は、前記赤サブ画素の１辺と前記緑サブ画素の１辺が前記青サブ画素の対辺に寄り添うように配置される平行四辺形の形状である
ことを特徴とする、請求項３に記載の画素構造。
【請求項８】
実質的に菱形の形状である前記青サブ画素は単一のサブ画素である
ことを特徴とする、請求項１から７のいずれか一項に記載の画素構造。
【請求項９】
実質的に菱形形状の前記青サブ画素は、それぞれ実質的に前記赤サブ画素又は前記緑サブ画素の二等辺三角形形状と同じ形状である、二つの切り離された二等辺三角形形状を含む
ことを特徴とする、請求項１から７のいずれか一項に記載の画素構造。
【請求項１０】
複数の前記論理画素が全て実質的に三角形形状であり、
複数の前記論理画素は、複数の第１論理画素と複数の第２論理画素を備え、
前記第１論理画素において、前記赤サブ画素は前記青サブ画素の左下隅に位置され、前記緑サブ画素は前記青サブ画素の右下隅に位置され、
前記第２論理画素において、前記赤サブ画素は前記青サブ画素の右上隅に位置され、前記緑サブ画素は前記青サブ画素の左上隅に位置される
ことを特徴とする、請求項３に記載の画素構造。
【請求項１１】
予め定めたレイアウトに配置される複数の第１重複単位を更に備え、
前記第１重複単位は、水平に配置される前記第１論理画素と前記第２論理画素を備え、
前記第１論理画素の１辺は前記第２論理画素の１辺に寄り添うように配置される
ことを特徴とする、請求項１０に記載の画素構造。
【請求項１２】
予め定めたレイアウトに配置される複数の第２重複単位を更に備え、
前記第２重複単位は、鉛直に配置される前記第１論理画素と前記第２論理画素を備え、
前記第１論理画素の底辺は前記第２論理画素の底辺に寄り添うように配置される
ことを特徴とする、請求項１０に記載の画素構造。
【請求項１３】
複数の前記論理画素は全て実質的に三角形形状であり、
複数の前記論理画素は、複数の第３論理画素と複数の第４論理画素を備え、
前記第３論理画素において、前記緑サブ画素は前記青サブ画素の左下隅に位置され、前記赤サブ画素は前記青サブ画素の右下隅に位置され、
前記第４論理画素において、前記緑サブ画素は前記青サブ画素の右上隅に位置され、前記赤サブ画素は前記青サブ画素の左上隅に位置される
ことを特徴とする、請求項３に記載の画素構造。
【請求項１４】
予め定めたレイアウトに配置される複数の第３重複単位を更に備え、
前記第３重複単位は、水平に配置される前記第３論理画素と前記第４論理画素を備え、
前記第３論理画素の１辺は前記第４論理画素の１辺に寄り添うように配置される
ことを特徴とする、請求項１３に記載の画素構造。
【請求項１５】
予め定めたレイアウトに配置される複数の第４重複単位を更に備え、
前記第４重複単位は、鉛直に配置される前記第３論理画素と前記第４論理画素を備え、
前記第３論理画素の底辺は前記第４論理画素の底辺に寄り添うように配置される
ことを特徴とする、請求項１３に記載の画素構造。
【請求項１６】
前記赤サブ画素又は前記緑サブ画素の二等辺三角形形状は正三角形形状である
ことを特徴とする、請求項１に記載の画素構造。
【請求項１７】
請求項１から１６のいずれか一項に記載の画素構造を備える、表示パネル。
【請求項１８】
請求項１７に記載の表示パネルを備える、表示装置。
【発明の詳細な説明】
【技術分野】
【０００１】
関連出願の相互参照
1本出願は、２０１５年３月２６日に提出した中国特許出願Ｎｏ．２０１５１０１３８２７２．２の優先権を主張し、その全体が参照により本出願に援用される。
【０００２】
本発明は、全体的には表示技術領域に関し、特に画素構造、該画素構造を備える表示パネル、及び該表示パネルを備える表示装置に関する。
【背景技術】
【０００３】
従来のディスプレイ基板は、通常、繰り返して配置される赤、緑及び青（ＲＧＢ）サブ画素を備える画素で構成されている。図１に示すように、各画素は同じ面積を占め、各画素は、水平に配置される赤、緑及び青サブ画素を備え、各サブ画素は同じ面積を占める。上記画素構造で構成されるディスプレイ基板は、視覚解像度と物理解像度が等しいことがある。
【０００４】
ディスプレイ基板市場では、より高い視覚解像度に対するニーズが益々高まっている。ディスプレイ基板は有機発光ダイオード（ＯＬＥＤ）を備えることがあるが、通常、ＯＬＥＤに用いられる有機発光材料をパターニングすることは困難である。また、従来のサブ画素配置によってＯＬＥＤサブ画素を製造するときには、有機発光材料を密に集積しなければならない。特に、高解像度のＯＬＥＤディスプレイ基板を生産するときには、サイズの極めて小さい有機発光材料からなるサブ画素を密に集積しなければならない。よって、複雑な製造工程が必要となり、生産コストが上昇してしまう。
【０００５】
一般に、ＯＬＥＤサブ画素は、赤、緑及び青サブ画素を備える。青サブ画素は、赤と緑サブ画素より寿命が短く、使用の過程で、青サブ画素が発する光の輝度が低下し、画像を表示するときに十分な青色を提供できない場合がある。
【０００６】
上記課題の１つ以上と該技術分野の他の課題を少なくとも部分的に緩和するために、本開示では、ディスプレイ基板の解像度を向上させ、青サブ画素の寿命を延長するような、画素構造、該画素構造を備える表示パネル、及び該表示パネルを備える表示装置を提供する。
【発明の概要】
【課題を解決するための手段】
【０００７】
本開示の一つの態様は画素構造を提供する。該画素構造は複数のサブ画素を備える。サブ画素は赤サブ画素、緑サブ画素及び青サブ画素を備える。赤サブ画素と緑サブ画素は全て、実質的に二等辺三角形の形状であり、実質的に同面積である。各青サブ画素は、実質的に菱形の形状であり、実質的に赤サブ画素又は緑サブ画素の２倍の面積である。赤又は緑サブ画素の二等辺三角形の形状の各辺は、青サブ画素の菱形の形状の辺長と長さが等しい。
【０００８】
二つの赤サブ画素と二つの緑サブ画素は、それぞれ青サブ画素の菱形の形状の４辺に寄り添うように配置されてもよい。画素構造は、三角形の形状、矢印の形状、平行四辺形の形状、又は長方形の形状の複数の論理画素を備えてもよい。
【０００９】
各論理画素は、半分の赤サブ画素、半分の緑サブ画素及び半分の青サブ画素によって形成される長方形の形状であってもよい。ここで、該長方形の形状において、半分の赤サブ画素の１辺と緑サブ画素の１辺を半分の青サブ画素の隣辺に寄り添うように配置することによって、長方形の形状を形成する。
【００１０】
各論理画素は、三角形の形状であってもよい。ここで、該三角形の形状において、赤サブ画素の１辺と緑サブ画素の１辺が青サブ画素の隣辺に寄り添うように配置され、赤サブ画素の１つの底角が緑サブ画素の１つの底角と繋がる。
【００１１】
各論理画素は矢印の形状であってもよい。ここで、該矢印の形状において、赤サブ画素の１辺と緑サブ画素の１辺が青サブ画素の隣辺に寄り添うように配置され、赤サブ画素と緑サブ画素の頂角が互いに繋がる。
【００１２】
各論理画素は平行四辺形の形状であってもよい。ここで、該平行四辺形の形状において、赤サブ画素の１辺と緑サブ画素の１辺が青サブ画素の対辺に寄り添うように配置される。
【００１３】
実質的に菱形の形状である青サブ画素は、単一のサブ画素であってもよい。実質的に菱形の形状である青サブ画素は、実質的に赤サブ画素又は緑サブ画素の二等辺三角形と同じ形状である、二つの別々の二等辺三角形の形状を含んでもよい。
【００１４】
複数の論理画素が全て実質的に三角形の形状であってもよい。また、複数の論理画素は、複数の第１論理画素と複数の第２論理画素を備えてもよい。第１論理画素において、赤サブ画素は青サブ画素の左下隅に位置され、緑サブ画素が青サブ画素の右下隅に位置される。第２論理画素において、赤サブ画素が青サブ画素の右上隅に位置され、緑サブ画素が青サブ画素の左上隅に位置される。
【００１５】
複数の第１重複単位を予め定めたレイアウトに配置してもよい。第１重複単位は、水平に配置される第１論理画素と第２論理画素を備え、第１論理画素の１辺は第２論理画素の１辺に寄り添うように配置される。
【００１６】
複数の第２重複単位を予め定めたレイアウトに配置してもよい。第２重複単位は、鉛直に配置された第１論理画素と第２論理画素を備え、第１論理画素の底辺は第２論理画素の底辺に寄り添うように配置される。
【００１７】
複数の論理画素は全て実質的に三角形の形状であってもよい。また、複数の論理画素は複数の第３論理画素と複数の第４論理画素を備えてもよい。第３論理画素において、緑サブ画素が青サブ画素の左下隅に位置され、赤サブ画素が青サブ画素の右下隅に位置される。第４論理画素において、緑サブ画素は青サブ画素の右上隅に位置され、赤サブ画素は青サブ画素の左上隅に位置される。
【００１８】
複数の第３重複単位を予め定めたレイアウトに配置してもよい。第３重複単位は、水平に配置された第３論理画素と第４論理画素を備え、第３論理画素の１辺は第４論理画素の１辺に寄り添うように配置される。
【００１９】
複数の第４重複単位を予め定めたレイアウトに配置してもよい。第４重複単位は、鉛直に配置された第３論理画素と第４論理画素を備え、第３論理画素の底辺は第４論理画素の底辺に寄り添うように配置される。
【００２０】
赤サブ画素又は緑サブ画素向けの二等辺三角形の形状は、正三角形の形状であってもよい。
【００２１】
本開示の他の態様は表示パネルを提供する。該表示パネルは開示した画素構造を備える。本開示の他の態様は表示装置を提供する。該表示装置は開示した表示パネルを備える。
【００２２】
本開示の他の態様は、本開示の明細書、請求項及び図面を参照して当業者が理解できるものである。
【００２３】
以下の図面は、さまざまな開示実施例を例示するものに過ぎず、本開示の範囲を制限する意図はない。
【図面の簡単な説明】
【００２４】
【図１】従来の画素構造を示す図である。
【図２ａ】さまざまな開示実施例による例示的な画素構造を示す図である。
【図２ｂ】さまざまな開示実施例による例示的な画素構造を示す図である。
【図３】さまざまな開示実施例による他の例示的な画素構造を示す図である。
【図４】さまざまな開示実施例による白い横線を表示した他の例示的な画素構造を示す図である。
【図５】さまざまな開示実施例による白い縦線を表示した他の例示的な画素構造を示す図である。
【図６】さまざまな開示実施例による例示的な第１重複単位を示す図である。
【図７】さまざまな開示実施例による他の例示的な第１重複単位を示す図である。
【図８】さまざまな開示実施例による第１重複単位を備える他の例示的な画素構造を示す図である。
【図９】さまざまな開示実施例による例示的な第２重複単位を示す図である。
【図１０】さまざまな開示実施例による第２重複単位を備える他の例示的な画素構造を示す図である。
【図１１】さまざまな開示実施例による例示的な画素構造を示す図である。
【図１２】さまざまな開示実施例による例示的な第３重複単位を示す図である。
【図１３】さまざまな開示実施例による他の例示的な第３重複単位を示す図である。
【図１４】さまざまな開示実施例による第３重複単位を備える他の例示的な画素構造を示す図である。
【図１５】さまざまな開示実施例による他の例示的な第４重複単位を示す図である。
【図１６】さまざまな開示実施例による第４重複単位を備える他の例示的な画素構造を示す図である。
【発明を実施するための形態】
【００２５】
添付図面を参照し、例示的な実施例によって本発明を詳細に説明する。可能な限り、図面全体を通して同一の参照番号を使用して同一もしくは同等の部品を指すこととする。ここで説明する例示的な実施例は本開示を説明するものに過ぎず、本開示を制限するものではない。可能な範囲で、開示した実施例及び例示的な実施例で開示された特徴を、本開示の範囲から逸脱することなく再配置することができる。
【００２６】
図２ａ及び図２ｂを参照すると、本開示は、例えば、サブ画素借用メカニズム（ｓｕｂｐｉｘｅｌ  ｂｏｒｒｏｗｉｎｇ  ｍｅｃｈａｎｉｓｍ）に基づいた画素構造を提供する。該画素構造は複数のサブ画素、例えば、赤サブ画素、緑サブ画素及び青サブ画素を備えることができる。サブ画素レンダリングアルゴリズムを用いて赤、緑及び青サブ画素を駆動することができる。赤サブ画素は緑サブ画素と同じ面積／形状を有することができる。青サブ画素の面積は赤又は緑サブ画素の２倍であることができる。
【００２７】
青サブ画素は赤又は緑サブ画素の２倍の面積であるため、青サブ画素の面積を拡張し、全三色のサブ画素が実質的に同じまたはほぼ同じ寿命を持つように、青サブ画素の寿命を延長させることができる。拡張された青サブ画素は、更に各論理画素の青サブ画素から十分な明度の青色光を提供してもよい。上記青色光は赤サブ画素からの赤色光と緑サブ画素からの緑色光と組み合わせて多彩な異なる色を形成することができる。更に、実際の画素構造の物理的な属性を考慮し、サブ画素レンダリングアルゴリズムを用いて画素構造を駆動し、画素構造によって表示される画像の視覚解像度が画素構造の物理解像度より大きくなるように、サブ画素レンダリングを行うことができる。
【００２８】
図３は本開示により２ｘ２配置で画像を表示するための例示的な画素構造を示す。例えば、図３に示す２ｘ２配置３１０の各行または各列の画像単位は、半分の青サブ画素と、半分の緑サブ画素と、半分の赤サブ画素の、全部で３／２サブ画素を備えることができる。従って、２ｘ２配置３１０に画像を表示するための例示的な画素構造は、３／２ｘ４＝６サブ画素を備える。これに対し、２ｘ２配置に画像を表示するための従来の画素構造は、３ｘ４＝１２サブ画素を備える。よって、本発明の一実施例では、従来の画素構造と比べて画素解像度が１２／６＝２倍向上する。
【００２９】
青サブ画素は菱形またはダイヤモンドの形状であることが好ましい。赤サブ画素と緑サブ画素は二等辺三角形の形状であることができる。赤サブ画素または緑サブ画素の二等辺三角形の等辺は、菱形の形状の辺長と等しい長さであることができる。一実施例では、青サブ画素、赤サブ画素及び緑サブ画素で形成される各論理画素は三角形の形状である。
【００３０】
さまざまな実施例では、開示した画素構造において、二つの赤サブ画素と二つの緑サブ画素は、それぞれ青サブ画素の菱形の形状の４辺に寄り添うように配置される。画素構造は、例えば図２ａ及び図２ｂに示す三角形の形状、矢印の形状、平行四辺形の形状、又は長方形の形状の複数の論理画素を備えることができる。例えば、前記形状の複数の論理画素で形成され、または前記形状の複数の論理画素に分割されることができる。いくつかの実施例では、「論理画素」という用語を「画素」という用語に置き換えることができる。
【００３１】
図２ａに戻って説明すると、例示的な論理画素２１２は三角形の形状であり、該三角形の形状において、赤サブ画素の１辺と緑サブ画素の１辺が青サブ画素の隣辺に寄り添うように配置される。図に示すように、赤サブ画素の１つの底角は緑サブ画素の１つの底角と繋がり、青サブ画素の隣辺によってなす角度と繋がる。
【００３２】
図２ｂに戻って説明すると、例示的な論理画素２１４は矢印の形状であり、該矢印の形状において、赤サブ画素の１辺と緑サブ画素の１辺が青サブ画素の隣辺に寄り添うように配置される。赤サブ画素と緑サブ画素の頂角が、青サブ画素の隣辺によってなす角度と繋がる。
【００３３】
図２ａに戻って説明すると、例示的な論理画素２１６は平行四辺形の形状であり、該平行四辺形の形状において、赤サブ画素の１辺と緑サブ画素の１辺が青サブ画素の対辺に寄り添うように配置される。
【００３４】
引き続き、図２ａに示すように、例示的な論理画素２１８は長方形の形状であり、該長方形の形状において、例えば、半分の赤サブ画素と、半分の緑サブ画素と、半分の青サブ画素で形成される正方形の形状を含む。半分の赤サブ画素の１辺と緑サブ画素の１辺が半分の青サブ画素の隣辺に寄り添うように配置される。
【００３５】
さまざまな実施例では、開示した画素構造が同じ論理画素の組み合わせを備えることができる。例えば、図２ａ及び図２ｂに示す論理画素２１２、２１４、２１６または２１８を備えることができる。
【００３６】
いくつかの実施例では、実質的に菱形の形状である青サブ画素は、１つの電極によって駆動される単一のサブ画素であることができる。他の実施例では、実質的に菱形の形状である青サブ画素は、赤サブ画素又は緑サブ画素の二等辺三角形形状とそれぞれ実質的に同じ形状又は面積である、二つの二等辺三角形の形状のような切り離された二つの部分を備えることができる。
【００３７】
さまざまな実施例では、切り離された二つの部分が対称的に構成されて青サブ画素を形成することができる。別々の電極に青サブ画素の切り離された二つの部分を駆動させて、同じ又は異なる電圧を前記部分へ提供することができる。例えば、低い電圧を青サブ画素の各切り離された二つの部分にそれぞれに印加して青サブ画素の切り離された二つの部分を別々にしかし同時に駆動することができる。他の実施例では、青サブ画素の切り離された二つの部分の他方、例えば第２二等辺三角形を使用せずに、電圧を青サブ画素の二つの部分の一方、例えば第１二等辺三角形に印加することができる。この場合、出射する青色光が劣化したときには、第２二等辺三角形を予備サブ画素として利用し、第１二等辺三角形を補償することができる。
【００３８】
図４は本開示による白い横線を表示した例示的な画素構造を示す。図４に示すように、白い横線を表示するとき、短手方向の白い横線の中心点では、二つの形式の位置分布があることができる。ある形式では、中心点は水平に配置される青サブ画素の上半分に位置することができる。別の形式では、中心点は水平に配置される青サブ画素の下半分に位置することができる。一実施例では、表示される白い横線の幅が画素の高さの半分となる。
【００３９】
図５は本発明による白い縦線を表示するための例示的な画素構造を示す。図５に示すように、白い縦線を表示するとき、短手方向の白い縦線の中心点では、形式の位置分布が１つに限られる。例えば、中心点は鉛直に配置される青サブ画素に位置される。一実施例では、表示される白い縦線の幅が、高さの半分の点にある画素の幅となる。
【００４０】
図２ａ及び図２ｂに示すように、赤サブ画素は青サブ画素の左下隅に位置され、緑サブ画素は青サブ画素の右下隅に位置されることが好ましい。あるいは、赤サブ画素は青サブ画素の右上隅に位置され、緑サブ画素は青サブ画素の左上隅に位置されてもよい。
【００４１】
さまざまな実施例では、画素構造を形成するためにビルディングブロックとして利用されるさまざまな重複単位を備えることができる。各重複単位は複数の画素、例えば二つの画素を備えることができる。
【００４２】
一実施例では、画素構造はビルディングブロックとして利用される複数の例示的な第１重複単位を備え、予め定めたレイアウトに基づいて配置することができる。例示的な第１重複単位は、水平に配置される第１論理画素と第２論理画素を備えることができる。第１論理画素の１辺は、第２論理画素の１辺に寄り添うように水平方向に配置される。第１論理画素は、青サブ画素と、青サブ画素の左下隅に位置される赤サブ画素と、青サブ画素の右下隅に位置される緑サブ画素を備えることができる。第２論理画素は、青サブ画素と、青サブ画素の右上隅に位置される赤サブ画素と、青サブ画素の左上隅に位置される緑サブ画素を備えることができる。
【００４３】
図６は本開示による例示的な第１重複単位を示す。図７は本開示による他の例示的な第１重複単位を示す。図６に示す第１重複単位を用いて図２ａ及び図２ｂに示す画素構造を形成することができる。図７に示す第１重複単位を用いて図８に示す画素構造を形成することができる。
【００４４】
図６に戻って説明すると、二つの画素の二つの緑サブ画素が鉛直に配置されて互いに揃っている。図７に示すように、二つの画素の二つの赤サブ画素が鉛直に配置されて互いに揃っている。それぞれ二つの画素によって形成される図６及び図７に示す例示的な第１重複単位は、異なる方向に配置される先端突出を備えることができ、特定の用途に応じて使用することができる。
【００４５】
さまざまな実施例では、ビルディングブロックとして利用され画素構造を形成する例示的な第２重複単位を提供することができる。例示的な第２重複単位は、それぞれ鉛直に配置される第１論理画素と第２論理画素を備えることができる。第１論理画素の底辺（又は基辺）は、第２論理画素の底辺（又は基辺）に寄り添うように配置することができる。第１論理画素は、青サブ画素と、青サブ画素の左下隅に位置される赤サブ画素と、青サブ画素の右下隅に位置される緑サブ画素を備えることができる。第２論理画素は、青サブ画素と、青サブ画素の右上隅に位置される赤サブ画素と、青サブ画素の左上隅に位置される緑サブ画素を備えることができる。
【００４６】
図９は本開示による例示的な第２重複単位を示す。図９に示す第２重複単位を用いて図１０に示す画素構造を形成することができる。
【００４７】
図９に示すように、第２重複単位を縦方向に迅速に配置して画素構造を形成することができる。図６及び図７に示すように、第１重複単位を横方向に迅速に配置して画素構造を形成することができる。特定の用途に応じて、画素構造を、図６及び図７に示す例示的な第１重複単位及び／又は図９に示す例示的な第２重複単位で形成することができる。
【００４８】
図１１に示すように、緑サブ画素は青サブ画素の左下隅に位置され、赤サブ画素は青サブ画素の右下隅に位置されることが好ましい。あるいは、緑サブ画素は青サブ画素の右上隅に位置され、赤サブ画素は青サブ画素の左上隅に位置されてもよい。
【００４９】
さまざまな実施例では、ビルディングブロックとして利用され画素構造を形成する例示的な第３重複単位を提供することができる。例示的な第３重複単位は、水平に配置される第３論理画素と第４論理画素を備えることができる。第３論理画素の１辺は、第４論理画素の１辺に寄り添うように横方向に配置される。第３論理画素は、青サブ画素と、青サブ画素の左下隅に位置される緑サブ画素と、青サブ画素の右下隅に位置される赤サブ画素を備えることができる。第４論理画素は、青サブ画素と、青サブ画素の右上隅に位置される緑サブ画素と、青サブ画素の左上隅に位置される赤サブ画素を備えることができる。
【００５０】
図１２は本開示による例示的な第３重複単位を示す。図１３は本開示による他の例示的な第３重複単位を示す。図１２に示す第３重複単位を用いて図１１に示す画素構造を形成することができる。図１３に示す第３重複単位を用いて図１４に示す画素構造を形成することができる。
【００５１】
図１２に示すように、二つの画素の二つの赤サブ画素は鉛直に配置され互いに鉛直に揃っている。図１３に示すように、二つの画素の二つの緑サブ画素は鉛直に配置され互いに鉛直に揃っている。それぞれ二つの画素で形成される図１２及び図１３に示す例示的な第３重複単位は、異なる方向に配置される先端突出を備えることができ、特定の用途に応じて利用することができる。
【００５２】
さまざまな実施例では、ビルディングブロックとして利用され画素構造を形成する例示的な第４重複単位を提供することができる。例示的な第４重複単位は、鉛直に配置され鉛直に揃っている第３論理画素と第４論理画素を備えることができる。第３論理画素の底辺は第４論理画素の底辺に寄り添うように配置されることができる。第３論理画素は、青サブ画素と、青サブ画素の左下隅に位置される緑サブ画素と、青サブ画素の右下隅に位置される赤サブ画素を備えることができる。第４論理画素は、青サブ画素と、青サブ画素の右上隅に位置される緑サブ画素と、青サブ画素の左上隅に位置される赤サブ画素を備えることができる。
【００５３】
図１５は本開示による例示的な第４重複単位を示す。図１５に示す第４重複単位を用いて図１６に示す画素構造を形成することができる。
【００５４】
図１５に示すように、第４重複単位を縦方向に迅速に配置して画素構造を形成することができる。図１２及び図１３に示すように、第３重複単位を横方向に迅速に配置して画素構造を形成することができる。特定の用途に応じて、画素構造を、図１２及び図１３に示す例示的な第３重複単位及び／又は図１５に示す第４重複単位で形成することができる。
【００５５】
さまざまな実施例では、二等辺三角形の形状にあるサブ画素は正三角形のサブ画素を備えることができる。正三角形のサブ画素はサブ画素を均一に分布させ、均一な色表示を保証する場合がある。
【００５６】
さまざまな実施例では、青、赤及び緑サブ画素が有機発光材料からなる。
【００５７】
本開示は表示パネルも提供する。該表示パネルは開示した任意の画素構造を備えることができる。さまざまな実施例では、開示した表示パネルはＯＬＥＤ表示パネルであることができる。ＯＬＥＤ表示パネルはアレイ基板を備えることができる。
【００５８】
本開示は表示装置も提供する。該表示装置は開示した表示パネルを備えることができる。
【００５９】
開示した表示装置は、例えば、電子ペーパー表示装置、スマートフォン、タブレットコンピュータ、テレビ、ラップトップコンピュータ、デジタル写真フレーム、ナビゲーションデバイス、あるいは表示機能を持つ任意の製品または部品等であることができる。
【００６０】
上記説明において、「第１」、「第２」、「第３」及び「第４」という用語は説明のためのものに過ぎず、相対的な優先順位又は強調を暗示するものではない。別途定義しない限り、「複数」という用語は二つ又はそれより多いことを意味する。
【００６１】
ここで開示した実施例は例示に過ぎない。他の応用、利点、変形、変更、または開示した実施例の同等物は当業者にとって明らかであり、本開示の範囲に含むことを意図する。
【符号の説明】
【００６２】
２１２、２１４、２１６、２１８  論理画素
３１０  ２ｘ２配置
【図１】
0006594354.tif 000002
【図２ａ】
0006594354.tif 000003
【図２ｂ】
0006594354.tif 000004
【図３】
0006594354.tif 000005
【図４】
0006594354.tif 000006
【図５】
0006594354.tif 000007
【図６】
0006594354.tif 000008
【図７】
0006594354.tif 000009
【図８】
0006594354.tif 000010
【図９】
0006594354.tif 000011
【図１０】
0006594354.tif 000012
【図１１】
0006594354.tif 000013
【図１２】
0006594354.tif 000014
【図１３】
0006594354.tif 000015
【図１４】
0006594354.tif 000016
【図１５】
0006594354.tif 000017
【図１６】
0006594354.tif 000018